(57)【要約】【課題】本考案は、ソファなどの柔軟な本体に、止め具を介しカバーを着脱自在に取付ける際に、取付け位置を自由に選択できるようにしながら、上記止め具を外して上記カバーを除去した際には、上記本体に何も残らぬようにして、同本体の体裁を十分に保てるようにした、カバー止め具を提供することを課題とする。【解決手段】柔軟な本体１に掛けられたカバーＡを同本体１へ押さえ付けるための頭部２を備えたカバー止め具Ｂが、カバーＡおよび本体１へ螺入しうるように尖鋭部３ａを先端に備えたコイル部材３を有し、過大な外力でカバーＡが本体１から剥がされる場合には、頭部２がコイル部材３と一体の膨大部７から離脱する。そして、カバーＡの無い状態で、頭部２をコイル部材３の上端の膨大部７へ嵌め込み、頭部２を回して本体１からカバー止め具Ｂを除去できる。【選択図】  図１
0003141352.tif 000002
【実用新案登録請求の範囲】
【請求項１】
柔軟な本体に掛けられたカバーを同本体へ押さえ付けるための頭部を備えるとともに、同頭部の裏側に一端を固着されて他端に上記のカバーおよび本体へ螺入するための尖鋭部を備えたコイル部材が設けられていることを特徴とする、カバー止め具。
【請求項２】
上記コイル部材が、その外周部を倒立円錐面に内接しうる形状に構成されていることを特徴とする、請求項１に記載のカバー止め具。
【請求項３】
上記尖鋭部が、上記コイル部材の中心線に対して直角をなす横向き方向に設けられていることを特徴とする、請求項１または２に記載のカバー止め具。
【請求項４】
上記カバーを上記本体から剥がす過大な外力を受けた際に上記頭部を上記コイル部材から離脱させるべく、同頭部への上記コイル部材の取付け部において、同頭部に、入口が狭く内部の広い凹部が形成されるとともに、上記コイル部材の上端部に、上記凹部へ押し込み可能で同凹部に対する相対回転を抑止される形状および材質の膨大部が設けられ、同膨大部は、上記の過大な外力を上記頭部に受けた場合に同頭部を離脱させる形状および材質も備えていることを特徴とする、請求項１〜３のいずれか１つに記載のカバー止め具。
【考案の詳細な説明】
【技術分野】
【０００１】
本考案は、ベッドやソファなどの柔軟な本体に掛けられたカバーが、同本体から脱落しないように、同カバーを抑止できるようにしたカバー止め具に関する。
【背景技術】
【０００２】
一般に、ベッドやソファのごとき柔軟な本体にカバーを掛けて、同カバーが上記本体から外れないようにする際には、面ファスナーのような一対の止め部材の一方と他方とを、それぞれ上記の柔軟な本体とカバーとに取付けておき、両者を相互に係合させることが行われている。
しかしながら、上述のように一対の止め部材を用いるようにしたものでは、上記カバーを取り外した際に、上記本体における止め部材が目立たないようにしなければならず、上記カバーの取付け方に制限を受けるという不具合がある。
【特許文献１】特開平１１−１５５６７５号公報
【考案の開示】
【考案が解決しようとする課題】
【０００３】
本考案は、ベッドやソファなどの柔軟な本体に、止め具を介しカバーを着脱自在に取付ける際に、取付け位置を自由に選択できるようにしながら、上記止め具を外して上記カバーを除去した際には、上記本体に何も残らぬようにして、同本体の体裁を十分に保てるようにした、カバー止め具を提供することを課題とする。
【課題を解決するための手段】
【０００４】
前述の課題を解決するため、本考案のカバー止め具は、柔軟な本体に掛けられたカバーを同本体へ押さえ付けるための頭部を備えるとともに、同頭部の裏側に一端を固着されて他端に上記のカバーおよび本体へ螺入するための尖鋭部を先端に備えたコイル部材が設けられていることを特徴としている。
【０００５】
また、本考案のカバー止め具は、上記コイル部材が、その外周部を倒立円錐面に内接しうる形状に構成されていることを特徴としている。
【０００６】
さらに、本考案のカバー止め具は、上記尖鋭部が、上記コイル部材の中心線に対して直角をなす横向き方向に設けられていることを特徴としている。
【０００７】
また、本考案のカバー止め具は、上記カバーを上記本体から剥がす過大な外力を受けた際に上記頭部を上記コイル部材から離脱させるべく、同頭部への上記コイル部材の取付け部において、同頭部に、入口が狭く内部の広い凹部が形成されるとともに、上記コイル部材の上端部に、上記凹部へ押し込み可能で同凹部に対する相対回転を抑止される形状および材質の膨大部が設けられ、同膨大部は、上記の過大な外力を上記頭部に受けた場合に同頭部を離脱させる形状および材質も備えていることを特徴としている。
【考案の効果】
【０００８】
上述の本考案のカバー止め具では、ベッドやソファのごとき柔軟な本体においてカバーの取付け位置を自由に設定することができ、このようにして上記本体に被せたカバーにおける適宜の位置において、上記カバー止め具におけるコイル部材をあてがい、同止め具の頭部を押し回すことにより、同止め具のコイル部材先端の尖鋭部が上記本体の内部へ螺入してゆくようになる。
【０００９】
そして、上記カバーは、上記止め具の頭部により上記本体へ押付けられるとともに、上記コイル部材の螺入により止着されるようになり、同カバーの上記本体への止着操作が完了する。
【００１０】
上述の止着操作の際に、上記コイル部材が、その外周部を倒立円錐面に内接しうる形状に構成されていると、上記頭部を把持して回してゆく際の回転モーメントが当初は小さくてすみ、取付け操作が容易に行われるようになる。
【００１１】
また、上記尖鋭部が、上記コイル部材の中心線に対して直角をなす横向き方向に設けられていると、上記頭部を把持して上記コイル部材を回してゆく際に、同コイル部材の進行方向に上記尖鋭部が向けられている場合と比べて、操作上の安全性が大幅に高められるようになる。
【００１２】
さらに、上記頭部への上記コイル部材の取付け部において、同頭部に、入口が狭く内部の広い凹部が形成されるとともに、上記コイル部材の上端部に、上記凹部へ押し込み可能で同凹部に対する相対回転を抑止される形状および材質の膨大部が、上記の過大な外力を上記頭部に受けた場合に同頭部を離脱させる形状および材質も備えている場合は、上記頭部を回転させながら押し込む操作により行われる上記コイル部材の上記の柔軟な本体への螺入動作に支障をきたすことはなく、しかも、上記本体への上記カバーの装着完了後に、誤って上記カバーを上記本体から強い力で剥がす操作が行われても、上記の膨大部およびコイル部材を残留させたまま上記頭部のみが除去されるようになり、上記のカバーや本体に損傷を与えることはない。
【００１３】
そして、上記コイル部材の除去は、上記カバーの存在しない状態で、同コイル部材の上端部における上記膨大部に上記頭部を再び装着してから、同頭部を引き戻すように前記とは逆の回転操作を行って、同頭部および上記コイル部材の上記本体からの除去が容易に行われるようになる。このようにして、このカバー止め具の再使用に支障をきたすこともない。また、カバー止め具を除去した状態では上記本体に何も残らず、その体裁が十分に保たれる。
【実施例１】
【００１４】
図１は本考案の実施例１としてのカバー止め具の使用状態を示す縦断面図、図３は上記カバー止め具をソファのカバーに用いた状態を示す斜視図である。
【００１５】
図１，３に示す実施例１のカバー止め具Ｂは、ソファのごときクッション材１ａおよび表層材（繊維製の布）１ｂからなる柔軟な本体１に掛けられたカバーＡを、同本体１へ押さえ付けるためのプラスチック製頭部２を備えており、同頭部２の裏側には、同裏側に一端を固着されて他端にカバーＡおよび本体１へ螺入するための尖鋭部３ａを備えた金属製のコイル部材３が取り付けられている。
【００１６】
そして、コイル部材３は、その外周部を円筒面４ａに内接しうる形状に構成され、その先端における尖鋭部３ａは、コイル部材３の中心線５に対して直角をなす横向き方向Ｄに設けられている。
【００１７】
また、カバーＡを本体１から剥がそうとする過大な外力を受けた際に、頭部２をコイル部材３から離脱させることができるように、頭部２へのコイル部材３の取付け部において、同頭部２に、入口が狭く内部の広い凹部６が形成されるとともに、コイル部材３の上端部３ｂに、凹部６へ押し込み可能で同凹部６に対する相対回転を抑止される形状および材質の膨大部７が、上記の過大な外力を頭部２に受けた場合に同頭部２を離脱させる形状および材質も備えて固着されている。膨大部７の形状は例えば角形とされ、また膨大部７の材質は例えばやや硬質のゴムとされる。
【００１８】
上述の本実施例１のカバー止め具Ｂでは、ソファとしての柔軟な本体１においてカバーＡへの取付け位置を自由に設定することができ、このようにして本体１に被せたカバーＡにおける適宜の位置において、カバー止め具Ｂにおけるコイル部材３をあてがい、同止め具Ｂの頭部２を押し回すことにより、同止め具Ｂのコイル部材３の先端の尖鋭部３ａが本体１の内部へ螺入してゆくようになる。
【００１９】
そして、止め具Ｂの頭部２によりカバーＡは本体１へ押付けられるようになり、同カバーＡの本体１への止着操作が完了する。
上述の止着操作において、尖鋭部３ａが、コイル部材３の中心線５に対して直角をなす横向き方向Ｄに設けられているので、頭部２を把持してコイル部材３を回してゆく際に、同コイル部材３の進行方向に尖鋭部３ａが向けられている場合と比べて、操作上の安全性が大幅に高められるようになる。
【００２０】
さらに、頭部２へのコイル部材３の取付け部において、同頭部２に、入口が狭く内部の広い凹部６が形成されるとともに、コイル部材３の上端部に、凹部６へ押し込み可能で同凹部６に対する相対回転を抑止される形状および材質の膨大部７が設けられているので、頭部２を回転させながら押し込む操作により行われるコイル部材３の柔軟な本体１への螺入動作に支障をきたすことはなく、しかも、本体１へのカバーＡの装着完了後に、誤ってカバーＡを本体１から強い力で剥がす操作が行われても、同本体１内にコイル部材３を残留させたまま頭部２のみが除去されるようになり、カバーＡや本体１に損傷を与えることはない。
【００２１】
そして、コイル部材３の除去は、カバーＡの存在しない状態で、同コイル部材３の上端部における膨大部７に頭部２を再び装着してから、同頭部２を引き戻すように前記とは逆の回転操作を行って、同頭部２およびコイル部材３の本体１からの除去が容易に行われるようになる。このようにして、このカバー止め具Ｂの再使用に支障をきたすこともない。また、カバー止め具Ｂを除去した状態では本体１に何も残らず、その体裁が十分に保たれる。
【００２２】
なお、上述の実施例１では、カバーＡを本体１から強い力で剥がす場合に対処できるものとして述べられているが、カバー止め具に強い力が作用することはないと予測される場合は、頭部２にコイル部材３の上端部３ｂを直接固着してもよく、このようにしてもカバーＡの着脱は頭部２の回転操作により簡便に行われるようになる。
【実施例２】
【００２３】
図２は本考案の実施例２としてのカバー止め具の使用状態を示す縦断面図、図３は上記カバー止め具をソファのカバーに用いた状態を示す斜視図である。
【００２４】
この実施例２のカバー止め具も、前述の実施例１と同様に、ソファのごときクッション材１ａおよび表層材（繊維製の布）１ｂからなる柔軟な本体１に掛けられたカバーＡを、同本体１へ押さえ付けるためのプラスチック製頭部２を備えており、同頭部２の裏側には、同裏側に一端を固着されて他端にカバーＡおよび本体１へ螺入するための尖鋭部３ａを備えた金属製のコイル部材３が取り付けられている。
【００２５】
この実施例２では、コイル部材３は、その外周部を倒立円錐面４ｂに内接しうる形状に構成されるが、その先端における尖鋭部３ａは、コイル部材３の中心線５に対して直角をなす横向き方向Ｄに設けられている。
【００２６】
また、カバーＡを本体１から剥がそうとする過大な外力を受けた際に、頭部２をコイル部材３から離脱させることができるように、頭部２へのコイル部材３の取付け部において、同頭部２に、入口が狭く内部の広い凹部６が形成されるとともに、コイル部材３の上端部３ｂに、凹部６へ押し込み可能で同凹部６に対する相対回転を抑止される形状および材質の膨大部７が、上記の過大な外力を頭部２に受けた場合に周縁部を凹部６から離脱させる形状および材質も備えて固着されている。本実施例２の場合も、膨大部７の形状は例えば角形とされ、また膨大部７の材質は例えばやや硬質のゴムとされる。
【００２７】
上述の本実施例２のカバー止め具Ｂの場合も、図３に示すソファとしての柔軟な本体１においてカバーＡへの取付け位置を自由に設定することができ、このようにして本体１に被せたカバーＡにおける適宜の位置において、カバー止め具Ｂにおけるコイル部材３をあてがい、同止め具Ｂの頭部２を押し回すことにより、同止め具Ｂのコイル部材３の先端の尖鋭部３ａが本体１の内部へ螺入してゆくようになる。そして、止め具Ｂの頭部２によりカバーＡは本体１へ押付けられるようになり、同カバーＡの本体１への止着操作が完了する。
【００２８】
上述の止着操作の際に、コイル部材３が、その外周部を倒立円錐面４ｂに内接しうる形状に構成されているので、頭部２を把持して回してゆく際の回転モーメントが当初は小さくてすみ、取付け操作が容易に行われるようになる。
【００２９】
また、尖鋭部３ａが、コイル部材３の中心線に対して直角をなす横向き方向Ｄに設けられているので、頭部２を把持してコイル部材３を回してゆく際に、同コイル部材３の進行方向に尖鋭部３ａが向けられている場合と比べて、操作上の安全性が大幅に高められるようになる。
【００３０】
さらに、頭部２へのコイル部材３の取付け部において、同頭部２に、入口が狭く内部の広い凹部６が形成されるとともに、コイル部材３の上端部に、凹部６へ押し込み可能で同凹部６に対する相対回転を抑止される形状および材質の膨大部７が設けられているので、頭部２を回転させながら押し込む操作により行われるコイル部材３の柔軟な本体１への螺入動作に支障をきたすことはなく、しかも、本体１へのカバーＡの装着完了後に、誤ってカバーＡを本体１から強い力で剥がす操作が行われても、同本体１内に膨大部７およびコイル部材３を残留させたまま頭部２のみが除去されるようになり、カバーＡや本体１に損傷を与えることはない。
【００３１】
そして、コイル部材３の除去は、カバーＡの存在しない状態で、同コイル部材３の上端部における膨大部７に頭部２を再び装着してから、同頭部２を引き戻すように前記とは逆向きに頭部２の回転操作を行って、同頭部２およびコイル部材３の本体１からの除去が容易に行われるようになる。このようにして、このカバー止め具Ｂの再使用に支障をきたすこともない。また、カバー止め具Ｂを除去した状態では本体１に何も残らず、その体裁が十分に保たれる。
【００３２】
なお、この実施例２の場合も、カバーＡを本体１から強い力で剥がす操作がないと予測される場合は、頭部２にコイル部材３の上端部３ｂを直接固着するようにしてもよく、これによりカバーＡの着脱を頭部２の回転操作により簡便に行うことが期待される。
【図面の簡単な説明】
【００３３】
【図１】本考案の実施例１としてのカバー止め具の使用状態を示す縦断面図である。
【図２】本考案の実施例２としてのカバー止め具の使用状態を示す縦断面図である。
【図３】本考案のカバー止め具をソファのカバーに用いた状態を示す斜視図である。
【符号の説明】
【００３４】
１  柔軟な本体
１ａ  クッション材
１ｂ  表層材
２  頭部
３  コイル部材
３ａ  尖鋭部
３ｂ  コイル部材上端部
４ａ  円筒面
４ｂ  倒立円錐面
５  中心線
６  凹部
７  膨大部
Ａ  カバー
Ｂ  カバー止め具
Ｄ  横向き方向
【図１】
0003141352.tif 000003
【図２】
0003141352.tif 000004
【図３】
0003141352.tif 000005